(57)【要約】      （修正有）【課題】安定した接続状態を確保して、接続信頼性を向上させることができる接続装置およびそれを備えた時計を提供する。【解決手段】第１、第２の回路基板１１、１２の間に配置されたハウジング１０に、第１、第２の回路基板１１、１２の第１、第２端子１１ａ、１２ｂを電気的に接続するインターコネクタ１７を保持するコネクタ保持孔２０を設け、このコネクタ保持孔２０が、インターコネクタ１７の位置を規制する位置規制部２３と、インターコネクタ１７の圧縮状態を調整する圧縮調整部２４と、を備えている。従って、インターコネクタ１７を第１、第２の回路基板１１、１２で挟み付けて圧縮させる際に、コネクタ保持孔２０の位置規制部２３と圧縮調整部２４とによって第１、第２端子１１ａ、１２ｂに対応するインターコネクタ１７の圧縮状態をほぼ均一にすることができる。【選択図】図６
2018009934.tif 000002
【特許請求の範囲】
【請求項１】
複数の第１端子が配列された第１の基板と、
前記複数の第１端子に対向する複数の第２端子が配列された第２の基板と、
前記第１の基板と前記第２の基板との間に配置されて、前記複数の第１端子と前記複数の第２端子とを電気的に接続する弾力性を備えたインターコネクタと、
前記第１の基板と前記第２の基板との間に配置され、かつ前記インターコネクタを保持するコネクタ保持孔が設けられたハウジングと、
前記ハウジングに前記第１の基板と前記第２の基板とを固定する固定部材と、
を備え、
前記ハウジングの前記コネクタ保持孔は、前記インターコネクタの位置を規制する位置規制部と、前記インターコネクタの圧縮状態を調整する圧縮調整部と、を備えていることを特徴とする接続装置。
【請求項２】
請求項１に記載の接続装置において、前記位置規制部と前記圧縮調整部とは、前記第１の基板と前記第２の基板とによる前記インターコネクタの圧力が前記固定部材からの距離に応じて異なることにより、前記複数の第１端子と前記複数の第２端子とに対応する前記インターコネクタの接触圧をほぼ一定に調整することを特徴とする接続装置。
【請求項３】
請求項２に記載の接続装置において、前記圧縮調整部は、前記固定部材からの距離が短い箇所に位置し、かつ前記コネクタ保持孔の内側面と前記インターコネクタの外側面との間の隙間が広く形成され、前記位置規制部は、前記固定部材からの距離が長い箇所に位置し、かつ前記コネクタ保持孔の内側面と前記インターコネクタの外側面との間の隙間が狭く形成されていることを特徴とする接続装置。
【請求項４】
請求項１に記載の接続装置において、前記位置規制部と前記圧縮調整部とは、前記固定部材によって前記第１の基板と前記第２の基板とが前記インターコネクタを圧縮させる際に、前記複数の第１端子と前記複数の第２端子とに対応する前記インターコネクタの圧縮力を強めるように調整することを特徴とする接続装置。
【請求項５】
請求項４に記載の接続装置において、前記位置規制部は、前記インターコネクタに食い込んで前記複数の第１端子と前記複数の第２端子とに対応する前記インターコネクタの接触圧を強めるための凸部であり、前記圧縮調整部は、前記インターコネクタが食い込んで前記複数の第１端子と前記複数の第２端子とに対応する前記インターコネクタの接触圧を調整するための凹部であることを特徴とする接続装置。
【請求項６】
請求項５に記載の接続装置において、前記位置規制部と前記圧縮調整部とは、前記第１端子と前記第２端子との配列方向に沿う前記コネクタ保持孔の少なくとも一方の内側面に、前記複数の第１端子と前記複数の第２端子とに対応する状態で設けられていることを特徴とする接続装置。
【請求項７】
請求項５に記載の接続装置において、前記位置規制部と前記圧縮調整部とは、前記第１端子と前記第２端子との配列方向に位置する前記コネクタ保持孔の少なくとも一方の内側面に交互に設けられていることを特徴とする接続装置。
【請求項８】
請求項１〜請求項７のいずれかに記載された接続装置を備えていることを特徴とする時計。
【発明の詳細な説明】
【技術分野】
【０００１】
この発明は、腕時計、携帯電話機、携帯情報端末機などの電子機器に用いられる接続装置およびそれを備えた時計に関する。
【背景技術】
【０００２】
例えば、腕時計においては、特許文献１に記載されているように、複数の第１端子が配列された回路基板と、この回路基板の複数の第１端子に対応する複数の第２端子が配列された表示パネルとを、インターコネクタによって電気的に接続する接続装置を備えた構成のものが知られている。
【先行技術文献】
【特許文献】
【０００３】
【特許文献１】特開２０１３−４４５４０号公報
【０００４】
この種の接続装置は、絶縁ゴムと導電ゴムとを交互に配列させたインターコネクタを回路基板と表示パネルとの間に配置する際に、インターコネクタの複数の導電ゴムを回路基板の複数の第１端子と表示パネルの複数の第２端子とにそれぞれ接触させ、この状態でインターコネクタを回路基板と表示パネルとで挟み付けることにより、インターコネクタを圧縮させて、回路基板の第１端子と表示パネルの第２端子とを電気的に接続するように構成されている。
【発明の概要】
【発明が解決しようとする課題】
【０００５】
このような腕時計の接続装置では、インターコネクタを回路基板と表示パネルとで挟み付けて、インターコネクタを圧縮させた際に、インターコネクタの圧縮力が強いと、回路基板と表示パネルとが浮き上がり、接続状態が不規則になり、逆にインターコネクタの圧縮力が弱いと、回路基板の第１端子と表示パネルの第２端子とに対する接触が不完全になる。このため、このような接続装置では、接続状態が不安定になり、接続信頼性に欠けるという問題がある。
【０００６】
この発明が解決しようとする課題は、安定した接続状態を確保して、接続信頼性を向上させることができる接続装置およびそれを備えた時計を提供することである。
【課題を解決するための手段】
【０００７】
この発明は、複数の第１端子が配列された第１の基板と、前記複数の第１端子に対向する複数の第２端子が配列された第２の基板と、前記第１の基板と前記第２の基板との間に配置されて、前記複数の第１端子と前記複数の第２端子とを電気的に接続する弾力性を備えたインターコネクタと、前記第１の基板と前記第２の基板との間に配置され、かつ前記インターコネクタを保持するコネクタ保持孔が設けられたハウジングと、前記ハウジングに前記第１の基板と前記第２の基板とを固定する固定部材と、を備え、前記ハウジングの前記コネクタ保持孔は、前記インターコネクタの位置を規制する位置規制部と、前記インターコネクタの圧縮状態を調整する圧縮調整部と、を備えていることを特徴とする接続装置である。
【発明の効果】
【０００８】
この発明によれば、ハウジングのコネクタ保持孔内に配置されたインターコネクタを第１の基板と第２の基板とで挟み付けて圧縮させる際に、コネクタ保持孔の位置規制部と圧縮調整部とによって複数の第１端子と複数の第２端子とに対応するインターコネクタの圧縮状態を調整することができる。このため、インターコネクタによる第１端子と第２端子との接続状態を安定させることができると共に、この安定した接続状態を確保することができるので、接続信頼性を向上させることができる。
【図面の簡単な説明】
【０００９】
【図１】この発明を腕時計に適用した第１実施形態を示した拡大正面図である。
【図２】図１に示された腕時計に組み込まれた時計モジュールを示した拡大側面図である。
【図３】図２に示された時計モジュールの拡大裏面図である。
【図４】図３に示された時計モジュールのＡ−Ａ矢視における拡大断面図である。
【図５】図３に示された時計モジュールのＢ−Ｂ矢視における要部を示した拡大断面図である。
【図６】図５に示された接続装置の要部を分解して示した拡大斜視図である。
【図７】図５に示された接続装置の要部を示し、（ａ）はインターコネクタを第１の回路基板と第２の回路基板とで挟み付ける前の状態を示した拡大断面図、（ｂ）はインターコネクタを第１の回路基板と第２の回路基板とで挟み付けて圧縮させた状態を示した拡大断面図である。
【図８】図６に示された接続装置を原理的に示した拡大平面図である。
【図９】図８に示された接続装置の第１変形例を原理的に示した拡大平面図である。
【図１０】この発明を腕時計に適用した第２実施形態において、接続装置の要部を分解して示した拡大斜視図である。
【図１１】図１０に示された接続装置の要部を示し、（ａ）はインターコネクタを第１の回路基板と第２の回路基板とで挟み付ける前の状態を示した要部の拡大平面図、（ｂ）はインターコネクタを第１の回路基板と第２の回路基板とで挟み付けて圧縮させた状態を示した要部の拡大平面図である。
【図１２】図１１に示された接続装置の第２変形例を示し、（ａ）はインターコネクタを第１の回路基板と第２の回路基板とで挟み付ける前の状態を示した要部の拡大平面図、（ｂ）はインターコネクタを第１の回路基板と第２の回路基板とで挟み付けて圧縮させた状態を示した要部の拡大平面図である。
【発明を実施するための形態】
【００１０】
（第１実施形態）
以下、図１〜図８を参照して、この発明を腕時計に適用した第１実施形態について説明する。
この腕時計は、図１に示すように、腕時計ケース１を備えている。この腕時計ケース１の１２時側と６時側とには、時計バンド２が取り付けられている。この腕時計ケース１の２時側、３時側、４時側、８時側には、スイッチ部３がそれぞれ設けられている。
【００１１】
また、この腕時計ケース１の内部には、図２〜図４に示すように、時計モジュール４が設けられている。この時計モジュール４は、アナログブロック５と回路ブロック６とを備え、これらが上下に積層された構成になっている。アナログブロック５は、輪列機構を備えた時計ムーブメント（いずれも図示せず）を備え、その上面に文字板７（図２参照）が配置されるように構成されている。
【００１２】
すなわち、このアナログブロック５は、図１、図２および図４に示すように、時計ムーブメントにおける輪列機構の指針軸８ａが、文字板７の貫通孔７ａを通して文字板７の上方に突出し、この突出した指針軸８ａの上端部に、秒針、分針、時針などの指針８が取り付けられ、この指針８が文字板７の上方を運針することにより、図１に示すように、時刻を指示表示するように構成されている。
【００１３】
回路ブロック６は、図３および図４に示すように、釦型の電池９を搭載するハウジング１０と、このハウジング１０の上面に配置された第１の回路基板１１と、ハウジング１０の下面に配置された第２の回路基板１２と、これらハウジング１０、第１の回路基板１１、および第２の回路基板１２をアナログブロック５の下側に組み付ける金属製の地板１３と、を備えている。この場合、ハウジング１０には、電池９を収納する電池収納部１０ａが設けられている。
【００１４】
第１の回路基板１１は、図４に示すように、ハウジング１０の上面に配置された状態で、アナログブロック５の下面に配置され、この状態でアナログブロック５の時計ムーブメント（図示せず）と電気的に接続されるように構成されている。第２の回路基板１２は、ハウジング１０の電池収納部１０ａに対応する箇所を除いて、ハウジング１０の下面に配置されるように構成されている。
【００１５】
すなわち、この第２の回路基板１２には、図３および図４に示すように、電池９をハウジング１０の電池収納部１０ａ内に収納させるための基板開口部１２ａが、ハウジング１０の電池収納部１０ａに対応して設けられている。この第２の回路基板１２の下面には、地板１３が配置されている。
【００１６】
この地板１３には、図３および図４に示すように、電池９をハウジング１０の電池収納部１０ａ内に収納させるための地板開口部１３ａが、第２の回路基板１２の基板開口部１２ａに対応して設けられている。この場合、電池９は、地板１３の地板開口部１３ａおよび第２の回路基板１２の基板開口部１２ａを通して、ハウジング１０の電池収納部１０ａ内に配置された状態で、電極板１４によって電池収納部１０ａ内に押え付けられて固定されるように構成されている。
【００１７】
また、地板１３の外周部には、図２〜図４に示すように、複数のフック部１５がアナログブロック５の外周面に向けて上方に突出して設けられている。これら複数のフック部１５それぞれは、図２に示すように、その上端部に矩形状の係止孔１５ａが設けられ、この係止孔１５ａにアナログブロック５の外周面に突出して設けられた突起部５ａが係合するように構成されている。
【００１８】
すなわち、これら複数のフック部１５は、図２〜図４に示すように、下側から順に、地板１３、第２の回路基板１２、ハウジング１０、第１の回路基板１１、およびアナログブロック５が重ね合わされた際に、これらの外周面に沿って上側に延び、この延びた上端部の係止孔１５ａに、アナログブロック５の外周面に設けられた各突起部５ａが係合するように構成されている。
【００１９】
これにより、地板１３は、図２〜図４に示すように、第２の回路基板１２、ハウジング１０、第１の回路基板１１、およびアナログブロック５が重ね合わされた状態で、第２の回路基板１２の下面に配置された際に、複数のフック部１５の各係止孔１５ａに、アナログブロック５の外周面に設けられた各突起部５ａが係合することにより、第２の回路基板１２、ハウジング１０、第１の回路基板１１、およびアナログブロック５を一体的に組み付けるように構成されている。
【００２０】
ところで、第１の回路基板１１と第２の回路基板１２とは、図５および図６に示すように、接続装置１６によって電気的に接続されるように構成されている。この接続装置１６は、第１の回路基板１１の第１端子１１ａと第２の回路基板１２の第２端子１２ｂとを電気的に接続する弾力性を備えたインターコネクタ１７と、このインターコネクタ１７を保持するハウジング１０と、このハウジング１０に第１の回路基板１１と第２の回路基板１２とを固定する固定部材１８と、を備えている。
【００２１】
この場合、第１端子１１ａは、図５〜図７に示すように、第１の回路基板１１の下面に複数配列されている。第２端子１２ｂは、第２の回路基板１２の上面に、第１の回路基板１１の複数の第１端子１１ａに対応して複数配列されている。インターコネクタ１７は、シリコーンゴムやウレタンゴムなどの絶縁性ゴム１７ａによって角棒状に形成され、この絶縁性ゴム１７ａ中に導電性を有する金属製の細線１７ｂを上下に貫通させて多数埋め込んだ構成になっている。
【００２２】
すなわち、このインターコネクタ１７は、図５〜図７に示すように、その長手方向の長さが複数の第１端子１１ａおよび複数の第２端子１２ｂの各配列方向の長さと同じか、それよりも少し長く形成されている。また、このインターコネクタ１７は、その長手方向と直交する方向の長さ（幅方向の長さ）が、複数の第１端子１１ａおよび複数の第２端子１２ｂの各配列方向に対して直交する方向の長さと同じか、それよりも少し長く形成されている。
【００２３】
また、このインターコネクタ１７は、図５〜図７に示すように、その上下方向の長さ（高さ）がハウジング１０の上下方向の長さ（厚み方向の長さ）、つまり第１の回路基板１１と第２の回路基板１２との間隔よりも、少し長く形成され、その上下方向（厚み方向）の圧縮率が１０％〜２５％に設定されている。この場合、絶縁性ゴム１７ａ中に埋め込まれた多数の金属製の細線１７ｂは、その配列ピッチＰ１が第１端子１１ａおよび第２端子１２ｂの各配列ピッチＰ２よりも小さいピッチ（Ｐ１＜Ｐ２）で設けられている。
【００２４】
これにより、このインターコネクタ１７は、図５〜図７に示すように、第１の回路基板１１の第１端子１１ａと第２の回路基板１２の第２端子１２ｂとの間に配置された際に、絶縁性ゴム１７ａ中に埋め込まれた金属製の細線１７ｂのうち、いずれかの金属製の細線１７ｂの各上端部が第１端子１１ａに接触し、この接触した金属製の細線１７ｂの各下端部が第２端子１２ｂに接触することにより、複数の第１端子１１ａと複数の第２端子１２ｂとのそれぞれを個別に独立させた状態で電気的に接続するように構成されている。
【００２５】
また、ハウジング１０には、図５〜図７に示すように、インターコネクタ１７を保持するコネクタ保持孔２０が上下に貫通して設けられている。このコネクタ保持孔２０は、インターコネクタ１７の位置を規制する位置規制部２３と、インターコネクタ１７の圧縮状態を調整する圧縮調整部２４と、を備えている。
【００２６】
すなわち、このコネクタ保持孔２０は、図５〜図７に示すように、固定部材１８によって第１の回路基板１１と第２の回路基板１２とがインターコネクタ１７を圧縮させた際に、位置規制部２３と圧縮調整部２４とによって、複数の第１端子１１ａと複数の第２端子１２ｂとに対するインターコネクタ１７の圧縮状態を調整するように構成されている。
【００２７】
この場合、固定部材１８は、図５および図６に示すように、頭部１８ａとねじ軸１８ｂとを備えたねじ部材であり、ハウジング１０のコネクタ保持孔２０の近傍に設けられている。すなわち、この固定部材１８は、図８において、コネクタ保持孔２０の右側に位置した状態で、コネクタ保持孔２０の上辺部よりも斜め上側に位置する箇所に設けられている。
【００２８】
また、地板１３、第２の回路基板１２、ハウジング１０、および第１の回路基板１１それぞれには、図５および図６に示すように、ねじ軸１８ｂが挿入するねじ挿入孔２１が上下に貫通して設けられている。また、アナログブロック５には、ねじ軸１８ｂが下側から螺合するねじ孔２２がねじ挿入孔２１と同一軸で対応して設けられている。
【００２９】
これにより、固定部材１８は、図５に示すように、ねじ軸１８ｂを地板１３の下側から地板１３、第２の回路基板１２、ハウジング１０、および第１の回路基板１１のそれぞれに設けられたねじ挿入孔２１に挿入し、この挿入したねじ軸１８ｂの上端部をアナログブロック５のねじ孔２２に螺合させて締め付けることにより、図７（ｂ）に示すように、ハウジング１０のコネクタ保持孔２０に配置されたインターコネクタ１７を上下方向に圧縮させるように構成されている。
【００３０】
一方、コネクタ保持孔２０の位置規制部２３と圧縮調整部２４とは、図８に示すように、第１の回路基板１１と第２の回路基板１２とによるインターコネクタ１７の圧力が固定部材１８からの距離に応じて異なることにより、複数の第１端子１１ａと複数の第２端子１２ｂとに対応するインターコネクタ１７の接触圧をほぼ一定に調整するように形成されている。
【００３１】
すなわち、このコネクタ保持孔２０の圧縮調整部２４は、図８に示すように、固定部材１８からの距離Ｓ１が短い箇所に位置し、かつコネクタ保持孔２０の内側面とインターコネクタ１７の外側面との間の隙間が広く形成されている。また、位置規制部２３は、固定部材１８からの距離Ｓ２が長い箇所に位置し、かつコネクタ保持孔２０の内側面とインターコネクタ１７の外側面との間の隙間が狭く形成されている。
【００３２】
この場合、コネクタ保持孔２０は、図８に示すように、上辺側に位置する圧縮調整部２４の孔部２０ａがインターコネクタ１７の幅方向の長さ（Ｘ）よりもα１だけ長く形成され、下辺側に位置する位置規制部２３の孔部２０ｂがインターコネクタ１７の幅方向の長さ（Ｘ）よりもα２だけ長く形成された構成になっている。
【００３３】
すなわち、コネクタ保持孔２０は、図８に示すように、上辺側に位置する圧縮調整部２４の孔部２０ａの長さ（Ｘ＋α１）が下辺側に位置する位置規制部２３の孔部２０ｂの長さ（Ｘ＋α２）よりも長く（α１＞α２）形成されている。この場合、α１、α２は、その大きさがインターコネクタ１７の圧縮率に応じて設定されている。
【００３４】
また、このコネクタ保持孔２０は、図８に示すように、インターコネクタ１７の長手方向と直交する幅方向の両側辺に位置する箇所の孔部２０ｃがインターコネクタ１７の長手向の長さ（Ｙ）よりもβだけ長く（Ｙ＋β）形成されていることにより、上辺側から下辺側に向かうに従って次第に孔部２０ｃがインターコネクタ１７の両側面に接近するように傾斜して形成されている。この場合にも、βは、その大きさがインターコネクタ１７の圧縮率に応じて設定されている。
【００３５】
これにより、インターコネクタ１７は、図８に示すように、ハウジング１０のコネクタ保持孔２０内に配置されて、第１の回路基板１１と第２の回路基板１２とで挟まれた状態で、固定部材１８によって第１の回路基板１１と第２の回路基板１２とがハウジング１０に締め付けられた際に、図７（ｂ）に示すように、位置規制部２３と圧縮調整部２４とによって第１端子１１ａと第２端子１２ｂとにほぼ一定の圧力で接触するように構成されている。
【００３６】
すなわち、このインターコネクタ１７は、図７（ａ）および図７（ｂ）に示すように、第１の回路基板１１と第２の回路基板１２とで挟み付けられる際に、固定部材１８に近い上辺部側の圧縮調整部２４の押圧力が強いため、幅方向に大きく膨らむように圧縮変形し、固定部材１８から遠い下辺部側の位置規制部２３の押圧力が弱いため、幅方向に小さく膨らむように圧縮変形するように構成されている。
【００３７】
これにより、インターコネクタ１７は、図７（ａ）および図７（ｂ）に示すように、第１の回路基板１１と第２の回路基板１２とで挟み付けられた際に、上辺部側に位置する圧縮調整部２４に対応する箇所と下辺部側に位置する位置規制部２３に対応する箇所とが、ほぼ同じ圧力で第１端子１１ａと第２端子１２ｂとに圧接するように構成されている。
【００３８】
次に、このような腕時計の時計モジュール４における接続装置１６の作用について説明する。
この接続装置１６を時計モジュール４と共に組み立てる場合には、まず、回路ブロック６を組み立てる。このときには、第２の回路基板１２をハウジング１０の下面に配置させる。すなわち、第２の回路基板１２の複数の第２電極１２ｂをハウジング１０のコネクタ保持孔２０に対応させると共に、第２の回路基板１２の基板開口部１２ａをハウジング１０の電池収納部１０ａに対応させる。
【００３９】
この状態で、ハウジング１０のコネクタ保持孔２０内にインターコネクタ１７を上側から挿入させて配置する。すると、インターコネクタ１７がコネクタ保持孔２０内の位置規制部２３によってコネクタ保持孔２０内に位置規制されて、インターコネクタ１７の下端面が第２の回路基板１２の上面に配列された複数の第２端子１２ｂに接触すると共に、インターコネクタ１７の上部がハウジング１０の上面から上方に突出した状態で配置される。
【００４０】
この状態で、ハウジング１０の上面に第１の回路基板１１を配置する。このときには、第１の回路基板１１の下面に配列された複数の第１電極１１ａを、ハウジング１０のコネクタ保持孔２０内に配置されて第２の回路基板１２の複数の第２端子１２ｂに接触した状態のインターコネクタ１７に対応させて、このインターコネクタ１７の上面に接触させる。
【００４１】
そして、第２の回路基板１２の下面に地板１３を配置する。このときには、地板１３の地板開口部１３ａを第２の回路基板１２の基板開口部１２ａとハウジング１０の電池収納部１０ａとに対応させる。すると、地板１３、第２の回路基板１２、ハウジング１０、および第１の回路基板１１の上下に貫通する固定部材１８のねじ挿入孔２１が形成される。
【００４２】
また、このときには、地板１３の外周部に設けられた複数のフック部１５が、第２の回路基板１２、ハウジング１０、および第１の回路基板１１の各外周部を通して、その各上端部が第１の回路基板１１の上方に突出して配置される。これにより、回路ブロック６が組み立てられる。
【００４３】
そして、この回路ブロック６にアナログブロック５を組み付ける。このときには、アナログブロック５のねじ孔２２を第１の回路基板１１のねじ挿入孔２１に同一軸上で対応させる。この状態で、アナログブロック５を回路ブロック６の第１の回路基板１１上に配置する。すると、地板１３の外周に設けられた複数のフック部１５がアナログブロック５の外周面に沿って上側に配置される。
【００４４】
このときには、複数のフック部１５の上端部の係止孔１５ａにアナログブロック５の外周部に設けられた突起部５ａが係合する。これにより、地板１３およびその複数のフック部１５によって、第２の回路基板１２とハウジング１０と第１の回路基板１１とが重なり合うと共に、この第１の回路基板１１上にアナログブロック５が重なり合い、この状態でアナログブロック５と回路ブロック６とが一体的に組み付けられる。
【００４５】
この状態で、接続装置１６の固定部材１８によって、地板１３、第２の回路基板１２、および第１の回路基板１１をハウジング１０に固定する。このときには、固定部材１８のねじ軸１８ｂを、回路ブロック６の下側から地板１３、第２の回路基板ハウジング１０、および第１の回路基板１１の上下に貫通したねじ挿入孔２１に挿入させて、アナログブロック５のねじ孔２２に下側から螺合させて締め付ける。
【００４６】
これにより、固定部材１８は、その頭部１８ａが、地板１３を第２の回路基板１２に押し付け、この第２の回路基板１２をハウジング１０の下面に押し付けて固定すると共に、アナログブロック５の下面が第１の回路基板１１をハウジング１０の上面に押し付けて固定する。これにより、時計モジュール４が組み立てられる。
【００４７】
このように、固定部材１８によって第２の回路基板１２がハウジング１０の下面に押し付けられ、第１の回路基板１１がハウジング１０の上面に押し付けられた際には、ハウジング１０のコネクタ保持孔２０内に配置されたインターコネクタ１７が第１の回路基板１１と第２の回路基板１２とで挟み付けられるので、インターコネクタ１７がコネクタ保持孔２０内で圧縮される。
【００４８】
このときには、インターコネクタ１７の上端部が第１の回路基板１１の下面に設けられた複数の第１端子１１ａに圧接すると共に、インターコネクタ１７の下端部が第２の回路基板１２の上面に設けられた複数の第２端子１２ｂに圧接する。これにより、第１の回路基板１１の複数の第１端子１１ａと第２の回路基板１２の複数の第２端子１２ｂとが、インターコネクタ１７によって電気的に接続される。
【００４９】
この場合には、図８において、固定部材１８がコネクタ保持孔２０の右側に位置した状態で、コネクタ保持孔２０の上辺部よりも斜め上側に位置して設けられている。このため、コネクタ保持孔２０の圧縮調整部２４は、固定部材１８からの距離Ｓ１が短い箇所に位置し、かつコネクタ保持孔２０の内側面とインターコネクタ１７の外側面との間の隙間が広く形成され、コネクタ保持孔２０の位置規制部２３は、固定部材１８からの距離Ｓ２が長い箇所に位置し、かつコネクタ保持孔２０の内側面とインターコネクタ１７の外側面との間の隙間が狭く形成されている。
【００５０】
このため、固定部材１８によってインターコネクタ１７が第１の回路基板１１と第２の回路基板１２とで挟み付けられて圧縮される際には、ハウジング１０に設けられたコネクタ保持孔２０の位置規制部２３と圧縮調整部２４とによって、インターコネクタ１７が第１端子１１ａと第２端子１２ｂとにほぼ一定の圧力になるように調整されて接触する。
【００５１】
すなわち、このインターコネクタ１７は、第１の回路基板１１と第２の回路基板１２とで挟み付けられる際に、固定部材１８に近い上辺部側の圧縮調整部２４に位置するコネクタ保持孔２０の内側面とインターコネクタ１７の外側面との間の隙間が広く形成され、かつ固定部材１８に近い箇所の押圧力が強いため、コネクタ保持孔２０内でその長手方向と直交する幅方向に大きく膨らむように圧縮変形する。
【００５２】
また、このインターコネクタ１７は、第１の回路基板１１と第２の回路基板１２とで挟み付けられる際に、固定部材１８から遠い下辺部側の位置規制部２３に位置するコネクタ保持孔２０の内側面とインターコネクタ１７の外側面との間の隙間が狭く形成され、かつ固定部材１８から遠い箇所の押圧力が弱いため、コネクタ保持孔２０内でその長手方向と直交する幅方向に小さく膨らむように圧縮変形する。これにより、インターコネクタ１７は、上辺部側の圧縮調整部２４と下辺部側の位置規制部２３とがほぼ同じ圧力で第１端子１１ａと第２端子１２ｂとに圧接する。
【００５３】
このように、この腕時計の時計モジュール４における接続装置１６によれば、第１の回路基板１１と第２の回路基板１２との間に配置されたハウジング１０に、第１端子１１ａと第２端子１２ｂとを電気的に接続するインターコネクタ１７を保持するコネクタ保持孔２０が設けられ、このコネクタ保持孔２０が、インターコネクタ１７の位置を規制する位置規制部２３と、インターコネクタ１７の圧縮状態を調整する圧縮調整部２４と、を備えていることにより、安定した接続状態を確保して、接続信頼性を向上させることができる。
【００５４】
すなわち、この時計モジュール４の接続装置１６では、ハウジング１０のコネクタ保持孔２０に配置されたインターコネクタ１７を、第１の回路基板１１と第２の回路基板１２とで挟み付けて圧縮させる際に、コネクタ保持孔２０の位置規制部２３と圧縮調整部２４とによって第１端子１１ａと第２端子１２ｂとに対応するインターコネクタ１７の圧接状態をほぼ均一に調整することができる。このため、インターコネクタ１７による第１端子１１ａと第２端子１２ｂとの接続状態を安定させることができると共に、この安定した接続状態を確保することができるので、接続信頼性を向上させることができる。
【００５５】
この場合、コネクタ保持孔２０の位置規制部２３と圧縮調整部２４とは、第１の回路基板１１と第２の回路基板１２とによるインターコネクタ１７の圧力が固定部材１８からの距離に応じて異なることにより、複数の第１端子１１ａと複数の第２端子１２ｂとに対応するインターコネクタ１７の接触圧をほぼ一定に調整することができる。
【００５６】
このため、この時計モジュール４の接続装置１６では、インターコネクタ１７を固定部材１８によって第１の回路基板１１と第２の回路基板１２とで挟み付けて圧縮させる際に、インターコネクタ１７が固定部材１８の近くで強く押されても、またインターコネクタ１７が固定部材１８から遠くで弱く押されても、位置規制部２３と圧縮調整部２４とによって第１端子１１ａと第２端子１２ｂとに対するインターコネクタ１７の接触圧をほぼ均一になるように調整することができる。
【００５７】
すなわち、このコネクタ保持孔２０の圧縮調整部２４は、固定部材１８からの距離Ｓ１が短い箇所に位置し、かつコネクタ保持孔２０の内側面とインターコネクタ１７の外側面との間の隙間が広く形成され、位置規制部２３は、固定部材１８からの距離Ｓ２が長い箇所に位置し、かつコネクタ保持孔２０の内側面とインターコネクタ１７の外側面との間の隙間が狭く形成されていることにより、固定部材１８によってインターコネクタ１７が第１の回路基板１１と第２の回路基板１２とで挟み付けられた際に、コネクタ保持孔２０の位置規制部２３と圧縮調整部２４とによってインターコネクタ１７を第１端子１１ａと第２端子１２ｂとにほぼ一定の圧力で接触させることができる。
【００５８】
この場合、圧縮調整部２４は、インターコネクタ１７が第１の回路基板１１と第２の回路基板１２とで挟み付けられる際に、固定部材１８に近い箇所に位置するコネクタ保持孔２０の内側面とインターコネクタ１７の外側面との間の隙間が広く形成され、かつ固定部材１８に近い箇所の押圧力が強いため、コネクタ保持孔２０内でインターコネクタ１７をその長手方向と直交する幅方向に大きく膨らむように圧縮変形させることができる。
【００５９】
また、位置規制部２３は、インターコネクタ１７が第１の回路基板１１と第２の回路基板１２とで挟み付けられる際に、固定部材１８から遠い箇所に位置するコネクタ保持孔２０の内側面とインターコネクタ１７の外側面との間の隙間が狭く形成され、かつ固定部材１８から遠い箇所の押圧力が弱いため、コネクタ保持孔２０内でインターコネクタ１７をその長手方向と直交する幅方向に小さく膨らむように圧縮変形させることがでる。
【００６０】
これにより、このコネクタ保持孔２０では、固定部材１８に近い箇所の圧縮調整部２４と固定部材１８から遠い箇所の位置規制部２３とで、インターコネクタ１７をほぼ同じ圧力で第１端子１１ａと第２端子１２ｂとに圧接させることができるので、インターコネクタ１７による第１端子１１ａと第２端子１２ｂとの接続状態を安定させることができ、これにより安定した接続状態を確保して、接続信頼性を確実に向上させることができる。
【００６１】
なお、上述した第１実施形態では、固定部材１８をハウジング１０のコネクタ保持孔２０の右側に位置した状態で、コネクタ保持孔２０の上辺部よりも斜め上側に位置する箇所に設けた場合について述べたが、この発明はこれに限らず、例えば、図９に示す第１変形例のように、固定部材１８をハウジング１０のコネクタ保持孔２５の右側のほぼ中間部附近に設けた構成であっても良い。
【００６２】
この場合にも、ハウジング１０のコネクタ保持孔２５は、位置規制部２６と圧縮調整部２７とを備えている。圧縮調整部２７は、固定部材１８からの距離Ｓ３が短い箇所に位置し、かつコネクタ保持孔２５の内側面とインターコネクタ１７の外側面との間の隙間が広く形成されている。位置規制部２６は、固定部材１８からの距離Ｓ４が最も長い箇所に位置し、かつコネクタ保持孔２５の内側面とインターコネクタ１７の外側面との間の隙間が狭く形成されている。
【００６３】
例えば、固定部材１８は、図９に示すように、ハウジング１０のコネクタ保持孔２５の右側で、かつコネクタ保持孔２５の上辺部と下辺部との中間部よりも少し上辺部側に位置して設けられている。この場合、固定部材１８から最も距離Ｓ３の短い箇所に位置する圧縮調整部２７は、上辺部と下辺部との中間部よりも少し上辺部側に位置する箇所の孔部２５ａがインターコネクタ１７の幅方向の長さ（Ｘ）よりもα１だけ長く形成されている。
【００６４】
また、固定部材１８から最も距離Ｓ４の長い箇所に位置する位置規制部２６は、図９に示すように、下辺部に位置する箇所の孔部２５ｂがインターコネクタ１７の幅方向の長さ（Ｘ）よりもα２だけ長く形成されている。さらに、このコネクタ保持孔２５の上辺部は、固定部材１８からの距離Ｓ５が中間部よりも少し上辺部側に位置する孔部２５ａよりも長く（Ｓ５＞Ｓ３）、かつ下辺側に位置する孔部２５ｂよりも短い（Ｓ５＜Ｓ４）箇所に位置し、この上辺部に位置する孔部２５ｃがインターコネクタ１７の幅方向の長さ（Ｘ）よりもα３だけ長く形成されている。
【００６５】
この場合、固定部材１８から最も距離Ｓ３の短い箇所に位置する圧縮調整部２７の長さ、つまり上辺部と下辺部との中間部よりも少し上辺部側に位置する圧縮調整部２７の孔部２５ａの長さ（Ｘ＋α１）は、固定部材１８から最も距離Ｓ４の長い箇所に位置する位置規制部２６、つまり下辺部に位置する孔部２５ｂの長さ（Ｘ＋α２）よりも長く（α１＞α２）形成されている。
【００６６】
また、固定部材１８からの距離Ｓ５が中間部よりも少し上辺部側に位置する孔部２５ａよりも長く、かつ下辺側に位置する孔部２５ｂよりも短い箇所である上辺に位置する孔部２５ｃの長さ（Ｘ＋α３）は、固定部材１８から最も距離Ｓ３の短い箇所、つまり上辺部と下辺部との中間部よりも少し上辺部側に位置する箇所の孔部２５ａの長さ（Ｘ＋α１）よりも短く（α３＜α１）、かつ固定部材１８から最も距離Ｓ４の長い箇所、つまり下辺部に位置する孔部２５ｂの長さ（Ｘ＋α２）よりも長く（α３＞α２）形成されている。
【００６７】
一方、このコネクタ保持孔２５は、図９に示すように、その長手方向と直交する幅方向の両側辺に位置する箇所の孔部２５ｄがインターコネクタ１７の長手向の長さ（Ｙ）よりもβだけ長く（Ｙ＋β）形成されている。この場合、コネクタ保持孔２５は、固定部材１８から最も距離Ｓ３の短い箇所の圧縮調整部２７、つまり上辺部と下辺部との中間部よりも少し上辺部側に位置する圧縮調整部２７の孔部２５ａを境にして、下辺側と上辺側とで傾きが異なるように傾斜して形成されている。
【００６８】
すなわち、このコネクタ保持孔２５は、図９に示すように、固定部材１８から最も距離Ｓ３の短い箇所の圧縮調整部２７、つまり上辺部と下辺部との中間部よりも少し上辺部側に位置する圧縮調整部２７の孔部２５ａを境にして、その下辺部に位置する位置規制部２６の孔部２５ｂに向かうに従って次第に孔部２５ｄがインターコネクタ１７の両側面に接近するように傾斜して形成されている。
【００６９】
また、このコネクタ保持孔２５は、図９に示すように、固定部材１８から最も距離Ｓ３の短い箇所の圧縮調整部２７、つまり上辺部と下辺部との中間部よりも少し上辺部側に位置する圧縮調整部２７の孔部２５ａを境にして、上辺部に位置する孔部２５ｃに向かうに従って次第に孔部２５ｄがインターコネクタ１７の両側面に接近するように傾斜して形成されている。
【００７０】
これにより、この第１変形例では、インターコネクタ１７がハウジング１０のコネクタ保持孔２５内に配置されて、第１の回路基板１１と第２の回路基板１２とで挟まれた状態で、固定部材１８によって第１の回路基板１１と第２の回路基板１２とがハウジング１０に締め付けられてインターコネクタ１７を挟み付けた際に、インターコネクタ１７が第１端子１１ａと第２端子１２ｂとにほぼ一定の圧力で接触するように構成されている。
【００７１】
すなわち、このインターコネクタ１７は、第１の回路基板１１と第２の回路基板１２とで挟み付けられる際に、固定部材１８に最も近い圧縮調整部２７に位置する孔部２５ａの箇所の押圧力が強いため、幅方向に大きく膨らむように圧縮変形する。また、このインターコネクタ１７は、第１の回路基板１１と第２の回路基板１２とで挟み付けられる際に、固定部材１８から最も遠い位置規制部２６に位置する下辺部側の孔部２５ｂの箇所の押圧力が弱いため、幅方向に小さく膨らむように圧縮変形する。
【００７２】
さらに、このインターコネクタ１７は、第１の回路基板１１と第２の回路基板１２とで挟み付けられる際に、固定部材１８からの距離Ｓ５が中間の長さの上辺部に位置する孔部２５ｃの箇所の押圧力が、最も強い力と最も弱い力との中間の強さであるため、中程度の大きさで幅方向に膨らむように圧縮変形する。
【００７３】
これにより、この第１変形例では、インターコネクタ１７が第１の回路基板１１と第２の回路基板１２とで挟み付けられる際に、圧縮調整部２７に位置する中間部の孔部２５ａと位置規制部２６に位置する下辺部側の孔部２５ｂと上辺部側の孔部２５ｃとに位置するインターコネクタ１７が、ほぼ同じ圧力で第１端子１１ａと第２端子１２ｂとに圧接する。このため、この第１変形例でも、第１実施形態と同様の作用効果ある。
【００７４】
（第２実施形態）
次に、図１０および図１１を参照して、この発明を腕時計に適用した第２実施形態について説明する。なお、図１〜図８に示された第１実施形態と同一部分には同一符号を付して説明する。
この腕時計は、図１０および図１１に示すように、接続装置３０におけるハウジング１０に設けられたコネクタ保持孔３１が第１実施形態と異なる構成であり、これ以外は第１実施形態と同じ構成になっている。
【００７５】
すなわち、ハウジング１０のコネクタ保持孔３１は、図１０および図１１に示すように、位置規制部３２と圧縮調整部３３とを備え、固定部材１８によって第１の回路基板１１と第２の回路基板１２とがインターコネクタ１７を圧縮させる際に、複数の第１端子１１ａと複数の第２端子１２ｂとに対応するインターコネクタ１７の圧縮力を強めるように形成されている。
【００７６】
この場合、コネクタ保持孔３１の位置規制部３２は、図１０および図１１に示すように、その内側面に設けられた複数の凸部であり、インターコネクタ１７に食い込んで複数の第１端子１１ａと複数の第２端子１２ｂとに対応するインターコネクタ１７の接触圧を強めるように構成されている。これら複数の凸部である位置規制部３２は、複数の第１端子１１ａおよび複数の第２端子１２ｂの各配列方向に沿うコネクタ保持孔３１の一方の内側面に、複数の第１端子１１ａおよび複数の第２端子１２ｂそれぞれに対応して設けられている。
【００７７】
また、コネクタ保持孔３１の圧縮調整部３３は、図１０および図１１に示すように、その内側面に設けられた複数の凹部であり、インターコネクタ１７が食い込んで複数の第１端子１１ａと複数の第２端子１２ｂとに対応するインターコネクタ１７の接触圧を調整するように構成されている。これら複数の凹部である圧縮調整部３３は、複数の第１端子１１ａおよび複数の第２端子１２ｂの各配列方向に沿うコネクタ保持孔３１の一方の内側面に、複数の凸部である位置規制部３２と交互に設けられている。
【００７８】
これにより、コネクタ保持孔３１は、図１０および図１１に示すように、固定部材１８によって第１の回路基板１１と第２の回路基板１２とがインターコネクタ１７を圧縮させる際に、複数の凸部である位置規制部３２がインターコネクタ１７に食い込むことにより、この食い込んだ箇所のインターコネクタ１７の圧縮力が強くなるため、複数の第１端子１１ａおよび複数の第２端子１２ｂに対応するインターコネクタ１７の接触圧を強めるように構成されている。
【００７９】
また、このコネクタ保持孔３１は、図１０および図１１に示すように、固定部材１８によって第１の回路基板１１と第２の回路基板１２とがインターコネクタ１７を圧縮させる際に、複数の凹部である圧縮調整部３３にインターコネクタ１７が食い込むことにより、この食い込んだ箇所のインターコネクタ１７の圧縮力が弱めて、複数の第１端子１１ａおよび複数の第２端子１２ｂに対応するインターコネクタ１７の接触圧を調整するように構成されている。
【００８０】
次に、このような腕時計の時計モジュール４における接続装置３０の作用について説明する。
この接続装置３０では、ハウジング１０のコネクタ保持孔３１内にインターコネクタ１７を配置する際に、コネクタ保持孔３１の内側面に設けられた複数の凸部である位置規制部３２によって、インターコネクタ１７がコネクタ保持孔３１内に位置規制される。
【００８１】
また、この接続装置３０では、固定部材１８によって第２の回路基板１２をハウジング１０の下面に押し付け、第１の回路基板１１をハウジング１０の上面に押し付けた際に、ハウジング１０のコネクタ保持孔３１内に配置されたインターコネクタ１７が第１の回路基板１１と第２の回路基板１２とで挟み付けられるので、インターコネクタ１７がコネクタ保持孔３１内で圧縮される。
【００８２】
このときには、複数の凸部である位置規制部３２が、第１端子１１ａおよび第２端子１２ｂの各配列方向に沿うコネクタ保持孔３１の一方の内側面に、複数の第１端子１１ａおよび複数の第２端子１２ｂそれぞれに対応して設けられているので、第１の回路基板１１と第２の回路基板１２とでインターコネクタ１７が挟み付けられて圧縮される際に、複数の凸部である位置規制部３２がインターコネクタ１７の側面に食い込んで複数の第１端子１１ａおよび複数の第２端子１２ｂそれぞれに対応する箇所に位置するインターコネクタ１７の接触圧を強めることができる。
【００８３】
また、このときには、複数の凹部である圧縮調整部３３が、第１端子１１ａおよび第２端子１２ｂの各配列方向に沿うコネクタ保持孔３１の一方の内側面に、複数の凸部である位置規制部３２と交互に設けられているので、第１の回路基板１１と第２の回路基板１２とでインターコネクタ１７が挟み付けられて圧縮される際に、複数の凹部である圧縮調整部３３にインターコネクタ１７の側面が食い込んで複数の第１端子１１ａおよび複数の第２端子１２ｂそれぞれに対応する箇所に位置するインターコネクタ１７の接触圧を調整することができる。
【００８４】
このため、この接続装置３０では、インターコネクタ１７の上端部が第１の回路基板１１の下面に設けられた複数の第１端子１１ａに圧接すると共に、インターコネクタ１７の下端部が第２の回路基板１２の上面に設けられた複数の第２端子１２ｂに圧接する。これにより、第１の回路基板１１の複数の第１端子１１ａと第２の回路基板１２の複数の第２端子１２ｂとが、インターコネクタ１７によって電気的に接続される。
【００８５】
このように、この腕時計の接続装置３０によれば、ハウジング１０のコネクタ保持孔３１が、インターコネクタ１７の位置を規制する位置規制部３２と、インターコネクタ１７の圧縮状態を調整する圧縮調整部３３と、を備えていることにより、固定部材１８によって第１の回路基板１１と第２の回路基板１２とがインターコネクタ１７を圧縮させる際に、複数の第１端子１１ａと複数の第２端子１２ｂとに対応するインターコネクタ１７の圧縮力を強めるように調整することができ、これにより第１実施形態と同様、安定した接続状態を確保して、接続信頼性を向上させることができる。
【００８６】
すなわち、この腕時計の接続装置３０では、ハウジング１０のコネクタ保持孔３１内に配置されたインターコネクタ１７を第１の回路基板１１と第２の回路基板１２とで挟み付けて圧縮させる際に、コネクタ保持孔３１の位置規制部３２と圧縮調整部３３とによって第１端子１１ａおよび第２端子１１ｂに対応する箇所のインターコネクタ１７の圧縮力を強めるように調整することができる。このため、インターコネクタ１７による第１端子１１ａと第２端子１２ｂとの接続状態を安定させることができると共に、この安定した接続状態を確保することができ、これにより接続信頼性を向上させることができる。
【００８７】
この場合、コネクタ保持孔３１の位置規制部３２は、コネクタ保持孔３１の内側面に設けられた複数の凸部であり、複数の第１端子１１ａおよび複数の第２端子１２ｂそれぞれに対応する箇所におけるインターコネクタ１７に食い込んでインターコネクタ１７の接触圧を強めることにより、インターコネクタ１７が第１の回路基板１１と第２の回路基板１２とで挟み付けられて圧縮される際に、複数の凸部である位置規制部３２をインターコネクタ１７の側面に食い込ませることができるので、第１端子１１ａおよび第２端子１１ｂそれぞれに対応する箇所のインターコネクタ１７の圧接力を強めることができる。
【００８８】
すなわち、この接続装置３０では、複数の凸部である位置規制部３２が、第１端子１１ａおよび第２端子１２ｂの各配列方向に沿うコネクタ保持孔３１の内側面に、複数の第１端子１１ａおよび複数の第２端子１２ｂそれぞれに対応して設けられていることにより、インターコネクタ１７が第１の回路基板１１と第２の回路基板１２とで挟み付けられて圧縮される際に、第１端子１１ａおよび第２端子１１ｂそれぞれに対応する箇所のインターコネクタ１７の側面に複数の凸部である位置規制部３２を確実にかつ良好に食い込ませることができるので、第１端子１１ａおよび第２端子１１ｂそれぞれに対応する箇所のインターコネクタ１７の圧接力を確実に強めることができる。
【００８９】
また、コネクタ保持孔３１の圧縮調整部３３は、コネクタ保持孔３１の内側面に設けられた複数の凹部であり、複数の第１端子１１ａおよび複数の第２端子１２ｂそれぞれに対応する箇所の隣に位置するインターコネクタ１７が食い込んでインターコネクタ１７の接触圧を調整することにより、インターコネクタ１７が第１の回路基板１１と第２の回路基板１２とで挟み付けられて圧縮される際に、複数の凹部である圧縮調整部３３にインターコネクタ１７の側面を食い込ませることができるので、第１端子１１ａおよび第２端子１１ｂそれぞれに対応する箇所のインターコネクタ１７の圧接力を調整することができる。
【００９０】
すなわち、この接続装置３０では、複数の凹部である圧縮調整部３３が、第１端子１１ａおよび第２端子１２ｂの各配列方向に沿うコネクタ保持孔３１の内側面に、複数の第１端子１１ａおよび複数の第２端子１２ｂそれぞれの隣に対応して設けられていることにより、インターコネクタ１７が第１の回路基板１１と第２の回路基板１２とで挟み付けられて圧縮される際に、第１端子１１ａおよび第２端子１１ｂそれぞれの隣に対応する箇所のインターコネクタ１７の側面を複数の凹部である圧縮調整部３３に確実にかつ良好に食い込ませることができるので、第１端子１１ａおよび第２端子１１ｂそれぞれに対応する箇所のインターコネクタ１７の圧接力を確実にかつ良好に調整することができる。
【００９１】
なお、上述した第２実施形態では、ハウジング１０のコネクタ保持孔３１における一方の内側面のみに複数の凸部である位置規制部３２と複数の凹部である圧縮調整部３３とを設けた場合について述べたが、この発明はこれに限らず、例えば、ハウジング１０のコネクタ保持孔３１における互いに対向する両方の内側面に複数の凸部である位置規制部３２と複数の凹部である圧縮調整部３３とをそれぞれ互いに対向させて設けた構成であっても良い。
【００９２】
また、上述した第２実施形態では、複数の凸部である位置規制部３２と複数の凹部である圧縮調整部３３とを第１端子１１ａおよび第２端子１２ｂの各配列方向に沿うコネクタ保持孔３１の内側面に設けた場合について述べたが、この発明はこれに限らず、例えば、図１２（ａ）および図１２（ｂ）に示す第２変形例のように、複数の凸部である位置規制部３５と複数の凹部である圧縮調整部３６とを第１端子１１ａおよび第２端子１２ｂの各配列方向に位置するコネクタ保持孔３１の両側の各内端面に設けた構成であっても良い。
【００９３】
この場合には、インターコネクタ１７を第１の回路基板１１と第２の回路基板１２とで挟み付けて圧縮させた際に、インターコネクタ１７の長手方向における両端部に複数の凸部である位置規制部３５を食い込ませることができると共に、インターコネクタ１７の長手方向における両端部を複数の凹部である圧縮調整部３６に食い込ませることができる。
【００９４】
このため、この第２変形例では、インターコネクタ１７の長手方向の位置を正確にかつ確実に規制することができる共に、第１端子１１ａと第２端子１１ｂとに対応するインターコネクタ１７の圧接力を強めることができると共に、インターコネクタ１７の圧接力を調整することができるので、これによっても安定した接続状態を確保することができると共に、接続信頼性を向上させることができる。
【００９５】
また、上述した第２変形例では、複数の凸部である位置規制部３５と複数の凹部である圧縮調整部３６とを第１端子１１ａおよび第２端子１２ｂの各配列方向に位置するコネクタ保持孔３１の両側の各内端面に設けた構成である場合について述べたが、この発明はこれに限らず、例えば、複数の凸部である位置規制部３５と複数の凹部である圧縮調整部３６とを第１端子１１ａと第２端子１２ｂとの配列方向に位置するコネクタ保持孔３１の一方の内端面のみに設けた構成であっても良い。
【００９６】
また、この発明は、上述した第２実施形態およびその第２変形例に限らず、例えば、第２実施形態の複数の凸部である位置規制部３５および複数の凹部である圧縮調整部３６と、第２変形例の複数の凸部である位置規制部３５および複数の凹部である圧縮調整部３６とをコネクタ保持孔３１の内側面に組み合わせて設けた構成でも良く、またコネクタ保持孔３１の内側面における全周に亘って複数の凸部である位置規制部３２、３５と複数の凹部である圧縮調整部３３、３６とを設けた構成であっても良い。
【００９７】
さらに、上述した第２実施形態およびその第２変形例では、ハウジング１０のコネクタ保持孔３１をインターコネクタ１７の外形と同じ形状で形成した場合について述べたが、この発明はこれに限らず、例えば、ハウジング１０のコネクタ保持孔２０、２５を第１実施形態および第１変形例と同じ形状に形成し、このコネクタ保持孔２０、２５の内側面に複数の凸部である位置規制部３２、３５と複数の凹部である圧縮調整部３３、３６とを第２実施形態および第２変形例と同様に設けた構成であっても良い。
【００９８】
このように構成すれば、第１実施形態と同様の作用効果があると共に、第２実施形態と同様の作用効果があるので、インターコネクタ１７を第１の回路基板１１と第２の回路基板１２とで挟み付けて圧縮させた際に、より一層、安定した接続状態を確保することができると共に、接続信頼性を更に向上させることができる。
【００９９】
また、上述した第１、第２の実施形態およびその各変形例では、固定部材１８の近傍に位置するハウジング１０の箇所に１つのコネクタ保持孔２０、２５、３１を設け、このコネクタ保持孔２０、２５、３１内に１つのインターコネクタ１７を配置した場合の接続装置１６、３０について述べたが、この発明はこれに限らず、固定部材１８の近傍に位置するハウジング１０の箇所に複数のコネクタ保持孔２０、２５、３１をそれぞれ設け、これら複数のコネクタ保持孔２０、２５、３１内それぞれにインターコネクタ１７を配置した構成であっても良い。
【０１００】
さらに、上述した第１、第２の実施形態およびその各変形例では、インターコネクタ１７が絶縁性ゴム１７ａ中に金属製の細線１７ｂを多数埋め込んだ構成である場合について述べたが、この発明はこれに限らず、絶縁ゴムと導電ゴムを交互に配列させたゼブラタイプのインターコネクタであっても良い。
【０１０１】
なおまた、上述した第１、第２の実施形態およびその各変形例では、腕時計に適用した場合について述べたが、この発明は必ずしも腕時計である必要はなく、例えばトラベルウオッチ、目覚まし時計、置き時計、掛け時計などの各種の時計に適用することができる。また、この発明は必ずしも時計である必要はなく、例えば、携帯電話機、携帯情報端末機などの電子機器にも広く適用することができる。
【０１０２】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【０１０３】
（付記）
請求項１に記載の発明は、複数の第１端子が配列された第１の基板と、前記複数の第１端子に対向する複数の第２端子が配列された第２の基板と、前記第１の基板と前記第２の基板との間に配置されて、前記複数の第１端子と前記複数の第２端子とを電気的に接続する弾力性を備えたインターコネクタと、前記第１の基板と前記第２の基板との間に配置され、かつ前記インターコネクタを保持するコネクタ保持孔が設けられたハウジングと、前記ハウジングに前記第１の基板と前記第２の基板とを固定する固定部材と、を備え、前記ハウジングの前記コネクタ保持孔は、前記インターコネクタの位置を規制する位置規制部と、前記インターコネクタの圧縮状態を調整する圧縮調整部と、を備えていることを特徴とする接続装置である。
【０１０４】
請求項２に記載の発明は、請求項１に記載の接続装置において、前記位置規制部と前記圧縮調整部とは、前記第１の基板と前記第２の基板とによる前記インターコネクタの圧力が前記固定部材からの距離に応じて異なることにより、前記複数の第１端子と前記複数の第２端子とに対応する前記インターコネクタの接触圧をほぼ一定に調整することを特徴とする接続装置である。
【０１０５】
請求項３に記載の発明は、請求項２に記載の接続装置において、前記圧縮調整部は、前記固定部材からの距離が短い箇所に位置し、かつ前記コネクタ保持孔の内側面と前記インターコネクタの外側面との間の隙間が広く形成され、前記位置規制部は、前記固定部材からの距離が長い箇所に位置し、かつ前記コネクタ保持孔の内側面と前記インターコネクタの外側面との間の隙間が狭く形成されていることを特徴とする接続装置である。
【０１０６】
請求項４に記載の発明は、請求項１に記載の接続装置において、前記位置規制部と前記圧縮調整部とは、前記固定部材によって前記第１の基板と前記第２の基板とが前記インターコネクタを圧縮させる際に、前記複数の第１端子と前記複数の第２端子とに対応する前記インターコネクタの圧縮力を強めるように調整することを特徴とする接続装置である。
【０１０７】
請求項５に記載の発明は、請求項４に記載の接続装置において、前記位置規制部は、前記インターコネクタに食い込んで前記複数の第１端子と前記複数の第２端子とに対応する前記インターコネクタの接触圧を強めるための凸部であり、前記圧縮調整部は、前記インターコネクタが食い込んで前記複数の第１端子と前記複数の第２端子とに対応する前記インターコネクタの接触圧を調整するための凹部であることを特徴とする接続装置である。
【０１０８】
請求項６に記載の発明は、請求項５に記載の接続装置において、前記位置規制部と前記圧縮調整部とは、前記第１端子と前記第２端子との配列方向に沿う前記コネクタ保持孔の少なくとも一方の内側面に、前記複数の第１端子と前記複数の第２端子とに対応する状態で設けられていることを特徴とする接続装置である。
【０１０９】
請求項７に記載の発明は、請求項５に記載の接続装置において、前記位置規制部と前記圧縮調整部とは、前記第１端子と前記第２端子との配列方向に位置する前記コネクタ保持孔の少なくとも一方の内側面に交互に設けられていることを特徴とする接続装置である。
【０１１０】
請求項８に記載の発明は、請求項１〜請求項７のいずれかに記載された接続装置を備えていることを特徴とする時計である。
【符号の説明】
【０１１１】
１  腕時計ケース
４  時計モジュール
１０  ハウジング
１１  第１の回路基板
１１ａ  第１端子
１２  第２の回路基板
１２ｂ  第２端子
１３  地板
１６、３０  接続装置
１７  インターコネクタ
１８  固定部材
１８ａ  頭部
１８ｂ  ねじ軸
２０、２５、３１  コネクタ保持孔
２０ａ〜２０ｃ、２５ａ〜２５ｄ  孔部
２１  ねじ挿入孔
２２  ねじ孔
２３、２６、３２、３５  位置規制部
２４、２７、３３、３６  圧縮調整部
【図１】
2018009934.tif 000003
【図２】
2018009934.tif 000004
【図３】
2018009934.tif 000005
【図４】
2018009934.tif 000006
【図５】
2018009934.tif 000007
【図６】
2018009934.tif 000008
【図７】
2018009934.tif 000009
【図８】
2018009934.tif 000010
【図９】
2018009934.tif 000011
【図１０】
2018009934.tif 000012
【図１１】
2018009934.tif 000013
【図１２】
2018009934.tif 000014